(57)【特許請求の範囲】
【請求項１】
未使用配線の収容状態を管理する配線管理システムにおいて、
端部に配線識別符号がバーコードとして付された複数の配線と、
前記複数の配線のうち未使用配線の端部を収容する収容箇所を複数有し、前記収容箇所毎に収容箇所識別符号がバーコードとして付された収容部と、
前記配線識別符号と前記収容箇所識別符号とを互いに関連づけて、前記未使用配線の端部の収容箇所に関する情報を格納する格納手段と、
前記格納手段に格納された前記情報を、前記配線識別符号または前記収容箇所識別符号に基づいて読み出す読み出し手段と
を備えたことを特徴とする配線管理システム。
【請求項２】
未使用配線の収容状態を管理する配線管理システムにおいて、
一方の端部に第１の配線識別符号がバーコードとして付され、他方の端部に第２の配線識別符号がバーコードとして付された複数の配線と、
前記複数の配線のうち未使用配線の前記一方の端部を収容する収容箇所を複数有し、前記収容箇所毎に第１の収容箇所識別符号がバーコードとして付された第１の収容部と、
前記複数の配線のうち未使用配線の前記他方の端部を収容する収容箇所を複数有し、前記収容箇所毎に第２の収容箇所識別符号がバーコードとして付された第２の収容部と、
前記第１、第２の配線識別符号及び前記第１、第２の収容箇所識別符号とを互いに関連づけて、前記未使用配線の一方及び他方の端部の収容箇所に関する情報を格納する格納手段と、
前記格納手段に格納された前記情報を、前記第１、第２の配線識別符号及び前記第１、第２の収容箇所識別符号のいずれかに基づいて読み出す読み出し手段と
を備えたことを特徴とする配線管理システム。
【請求項３】
前記読み出し手段によって読み出された前記情報を表示する表示手段をさらに備えたことを特徴とする請求項１または２に記載の配線管理システム。
【請求項４】
前記読み出し手段によって読み出された前記情報に基づいて、前記未使用配線の中から、使用すべき配線を選択する選択手段をさらに備えたことを特徴とする請求項１または２に記載の配線管理システム。
【請求項５】
前記配線識別符号と前記収容箇所識別符号とを読み取る読み取り手段と、
前記読み取り手段によって読み取られた前記配線識別符号と前記収容箇所識別符号とに基づいて、前記情報を更新する更新手段と
をさらに備えたことを特徴とする請求項１に記載の配線管理システム。
【請求項６】
前記第１及び第２の配線識別符号と前記第１及び第２の収容箇所識別符号とを読み取る読み取り手段と、
前記読み取り手段によって読み取られた前記第１及び第２の配線識別符号と前記第１及び第２の収容箇所識別符号とに基づいて、前記情報を更新する更新手段と
をさらに備えたことを特徴とする請求項２に記載の配線管理システム。
【請求項７】
複数の配線と、前記複数の配線のうち未使用配線の端部を収容する収容箇所を複数有する収容部とを備えた配線システムに用いられ、前記未使用配線の収容状態を管理する配線管理方法において、
前記複数の配線それぞれの端部に配線識別符号をバーコードとして付する配線識別符号付与工程と、
前記複数の収容箇所それぞれに収容箇所識別符号をバーコードとして付する収容箇所識別符号付与工程と、
前記配線識別符号と前記収容箇所識別符号とを互いに関連づけて、前記未使用配線の端部の収容箇所に関する情報を格納手段に格納する格納工程と、
前記格納工程において格納された前記情報を、前記配線識別符号または前記収容箇所識別符号に基づいて読み出す読み出し工程と
を備えたことを特徴とする配線管理方法。
【請求項８】
複数の配線と、前記複数の配線のうち未使用配線の一方の端部を収容する収容箇所を複数有する第１の収容部と、前記複数の配線のうち未使用配線の他方の端部を収容する収容箇所を複数有する第２の収容部とを備えた配線システムに用いられ、前記未使用配線の収容状態を管理する配線管理方法において、
前記複数の配線それぞれの一方の端部に第１の配線識別符号をバーコードとして付する第１の配線識別符号付与工程と、
前記複数の配線それぞれの他方の端部に第２の配線識別符号をバーコードとして付する第２の配線識別符号付与工程と、
前記第１の収容部の複数の収容箇所それぞれに第１の収容箇所識別符号をバーコードとして付する第１の収容箇所識別符号付与工程と、
前記第２の収容部の複数の収容箇所それぞれに第２の収容箇所識別符号をバーコードとして付する第２の収容箇所識別符号付与工程と、
前記第１、第２の配線識別符号及び前記第１、第２の収容箇所識別符号とを互いに関連づけて、前記未使用配線の一方及び他方の端部の収容箇所に関する情報を格納手段に格納する格納工程と、
前記格納工程において格納された前記情報を、前記第１、第２の配線識別符号及び前記第１、第２の収容箇所識別符号のいずれかに基づいて読み出す読み出し工程と
を備えたことを特徴とする配線管理方法。
【請求項９】
前記読み出し工程において読み出された前記情報を表示する表示工程をさらに備えたことを特徴とする請求項７または８に記載の配線管理方法。
【請求項１０】
前記読み出し工程において読み出された前記情報に基づいて、前記未使用配線の中から、使用すべき配線を選択する選択工程をさらに備えたことを特徴とする請求項７または８に記載の配線管理方法。
【請求項１１】
前記配線識別符号と前記収容箇所識別符号とを読み取る読み取り工程と、
前記読み取り工程において読み取られた前記配線識別符号と前記収容箇所識別符号とに基づいて、前記情報を更新する更新工程と
をさらに備えたことを特徴とする請求項７に記載の配線管理方法。
【請求項１２】
前記第１及び第２の配線識別符号と前記第１及び第２の収容箇所識別符号とを読み取る読み取り工程と、
前記読み取り工程において読み取られた前記第１及び第２の配線識別符号と前記第１及び第２の収容箇所識別符号とに基づいて、前記情報を更新する更新工程と
をさらに備えたことを特徴とする請求項８に記載の配線管理方法。
【発明の詳細な説明】
【０００１】
【発明の属する技術分野】
本発明は、未使用配線の収容状態を管理する配線管理システム及び配線管理方法に関するものである。
【０００２】
【従来の技術】
通信ネットワークを構築する場合、利用者の新規加入、あるいは、利用中止などに伴い、通信回線の接続、切断をする必要が生ずる。例えば、電話回線の場合、利用者宅と接続される配線は、電話局内に配置された数段の中間装置を介して伝送装置に接続されているが、利用が中止された配線は、伝送装置と中間装置との間、あるいは、前段の中間装置と後段の中間装置との間で回線が切断され、切断された配線の端部は、架内に設けられた所定の収容部に収容される。一方、新規加入の利用者がある場合は、当該収容部に収容されている未使用配線の中から適宜配線が選択され、かかる配線を用いて利用者との回線が確立される。
【０００３】
【発明が解決しようとする課題】
しかし、上記未使用配線の収容状態は系統的には管理されておらず、利用者の新規加入の際の回線設計、回線工事の際の現物照合等に長時間を要するという問題点があった。そこで本発明は、上記問題点を解決し、容易かつ迅速な回線設計、現物照合を可能とする配線管理システムおよび配線管理方法を提供することを課題とする。
【０００４】
【課題を解決するための手段】
上記課題を解決するために、本発明の配線管理システムは、未使用配線の収容状態を管理する配線管理システムであって、端部に配線識別符号がバーコードとして付された複数の配線と、複数の配線のうち未使用配線の端部を収容する収容箇所を複数有し、収容箇所毎に収容箇所識別符号がバーコードとして付された収容部と、配線識別符号と収容箇所識別符号とを互いに関連づけて、未使用配線の端部の収容箇所に関する情報を格納する格納手段と、格納手段に格納された情報を、配線識別符号または収容箇所識別符号に基づいて読み出す読み出し手段とを備えたことを特徴としている。
【０００５】
配線識別符号と収容箇所識別符号とを互いに関連づけて未使用配線の端部の収容箇所に関する情報を格納することで、未使用配線の端部の収容状態を系統的に管理できる。また、配線識別符号または収容箇所識別符号に基づいて当該情報を読み出すことで、回線設計等に必要な情報を迅速に入手することができる。
【０００６】
また、本発明の配線管理システムは、未使用配線の収容状態を管理する配線管理システムであって、一方の端部に第１の配線識別符号がバーコードとして付され、他方の端部に第２の配線識別符号がバーコードとして付された複数の配線と、複数の配線のうち未使用配線の一方の端部を収容する収容箇所を複数有し、収容箇所毎に第１の収容箇所識別符号がバーコードとして付された第１の収容部と、複数の配線のうち未使用配線の他方の端部を収容する収容箇所を複数有し、収容箇所毎に第２の収容箇所識別符号がバーコードとして付された第２の収容部と、第１、第２の配線識別符号及び第１、第２の収容箇所識別符号とを互いに関連づけて、未使用配線の一方及び他方の端部の収容箇所に関する情報を格納する格納手段と、格納手段に格納された情報を、第１、第２の配線識別符号及び第１、第２の収容箇所識別符号のいずれかに基づいて読み出す読み出し手段とを備えたことを特徴としてもよい。
【０００７】
第１、第２の配線識別符号及び第１、第２の収容箇所識別符号とを互いに関連づけて、未使用配線の一方及び他方の端部の収容箇所に関する情報を格納することで、未使用配線の両端部の収容状態を、互いに関連づけて系統的に管理できる。また、第１、第２の配線識別符号及び第１、第２の収容箇所識別符号のいずれかに基づいて当該情報を読み出すことで、未使用配線の両端部の収容状態に関する情報が回線設計等に必要な場合であっても、必要な情報を迅速に入手することができる。
【０００８】
また、本発明の配線管理システムは、読み出し手段によって読み出された情報を表示する表示手段をさらに備えたことを特徴としてもよい。
【０００９】
上記表示手段を備えることで、当該情報を容易に利用することができる。
【００１０】
また、本発明の配線管理システムは、読み出し手段によって読み出された情報に基づいて、未使用配線の中から、使用すべき配線を選択する選択手段をさらに備えたことを特徴としてもよい。
【００１１】
上記選択手段を備えることで、未使用配線の中から使用すべき配線として適切な配線を容易に選択することができる。
【００１２】
また、本発明の配線管理システムは、配線識別符号と収容箇所識別符号とを読み取る読み取り手段と、読み取り手段によって読み取られた配線識別符号と収容箇所識別符号とに基づいて、情報を更新する更新手段とをさらに備えたことを特徴としてもよい。
【００１３】
上記読み取り手段を設けることで、配線識別符号と収容箇所識別符号とを逐次読み取ることが可能となり、上記更新手段を備えることで、上記情報を逐次更新することができる。
【００１４】
また、本発明の配線管理システムは、第１及び第２の配線識別符号と第１及び第２の収容箇所識別符号とを読み取る読み取り手段と、読み取り手段によって読み取られた第１及び第２の配線識別符号と第１及び第２の収容箇所識別符号とに基づいて、情報を更新する更新手段とをさらに備えたことを特徴としてもよい。
【００１５】
上記読み取り手段を設けることで、第１及び第２の配線識別符号と第１及び第２の収容箇所識別符号とを逐次読み取ることが可能となり、上記更新手段を備えることで、上記情報を逐次更新することができる。
【００１６】
上記課題を解決するために、本発明の配線管理方法は、複数の配線と、複数の配線のうち未使用配線の端部を収容する収容箇所を複数有する収容部とを備えた配線システムに用いられ、未使用配線の収容状態を管理する配線管理方法であって、複数の配線それぞれの端部に配線識別符号をバーコードとして付する配線識別符号付与工程と、複数の収容箇所それぞれに収容箇所識別符号をバーコードとして付する収容箇所識別符号付与工程と、配線識別符号と収容箇所識別符号とを互いに関連づけて、未使用配線の端部の収容箇所に関する情報を格納手段に格納する格納工程と、格納工程において格納された情報を、配線識別符号または収容箇所識別符号に基づいて読み出す読み出し工程とを備えたことを特徴としている。
【００１７】
配線識別符号と収容箇所識別符号とを互いに関連づけて未使用配線の端部の収容箇所に関する情報を格納することで、未使用配線の端部の収容状態を系統的に管理できる。また、配線識別符号または収容箇所識別符号に基づいて当該情報を読み出すことで、回線設計等に必要な情報を迅速に入手することができる。
【００１８】
また、本発明の配線管理方法は、複数の配線と、複数の配線のうち未使用配線の一方の端部を収容する収容箇所を複数有する第１の収容部と、複数の配線のうち未使用配線の他方の端部を収容する収容箇所を複数有する第２の収容部とを備えた配線システムに用いられ、未使用配線の収容状態を管理する配線管理方法であって、複数の配線それぞれの一方の端部に第１の配線識別符号をバーコードとして付する第１の配線識別符号付与工程と、複数の配線それぞれの他方の端部に第２の配線識別符号をバーコードとして付する第２の配線識別符号付与工程と、第１の収容部の複数の収容箇所それぞれに第１の収容箇所識別符号をバーコードとして付する第１の収容箇所識別符号付与工程と、第２の収容部の複数の収容箇所それぞれに第２の収容箇所識別符号をバーコードとして付する第２の収容箇所識別符号付与工程と、第１、第２の配線識別符号及び第１、第２の収容箇所識別符号とを互いに関連づけて、未使用配線の一方及び他方の端部の収容箇所に関する情報を格納手段に格納する格納工程と、格納工程において格納された情報を、第１、第２の配線識別符号及び第１、第２の収容箇所識別符号のいずれかに基づいて読み出す読み出し工程とを備えたことを特徴としてもよい。
【００１９】
第１、第２の配線識別符号及び第１、第２の収容箇所識別符号とを互いに関連づけて、未使用配線の一方及び他方の端部の収容箇所に関する情報を格納することで、未使用配線の両端部の収容状態を、互いに関連づけて系統的に管理できる。また、第１、第２の配線識別符号及び第１、第２の収容箇所識別符号のいずれかに基づいて当該情報を読み出すことで、未使用配線の両端部の収容状態に関する情報が回線設計等に必要な場合であっても、必要な情報を迅速に入手することができる。
【００２０】
また、本発明の配線管理方法は、読み出し工程において読み出された情報を表示する表示工程をさらに備えたことを特徴としてもよい。
【００２１】
上記表示工程を備えることで、当該情報を容易に利用することができる。
【００２２】
また、本発明の配線管理方法は、読み出し工程において読み出された情報に基づいて、未使用配線の中から、使用すべき配線を選択する選択工程をさらに備えたことを特徴としてもよい。
【００２３】
上記選択工程を備えることで、未使用配線の中から使用すべき配線として適切な配線を容易に選択することができる。
【００２４】
また、本発明の配線管理方法は、配線識別符号と収容箇所識別符号とを読み取る読み取り工程と、読み取り工程において読み取られた配線識別符号と収容箇所識別符号とに基づいて、情報を更新する更新工程とをさらに備えたことを特徴としてもよい。
【００２５】
上記読み取り工程を設けることで、配線識別符号と収容箇所識別符号とを逐次読み取ることが可能となり、上記更新工程を備えることで、上記情報を逐次更新することができる。
【００２６】
また、本発明の配線管理方法は、第１及び第２の配線識別符号と第１及び第２の収容箇所識別符号とを読み取る読み取り工程と、読み取り工程において読み取られた第１及び第２の配線識別符号と第１及び第２の収容箇所識別符号とに基づいて、情報を更新する更新工程とをさらに備えたことを特徴としてもよい。
【００２７】
上記読み取り工程を設けることで、第１及び第２の配線識別符号と第１及び第２の収容箇所識別符号とを逐次読み取ることが可能となり、上記更新工程を備えることで、上記情報を逐次更新することができる。
【００２８】
【発明の実施の形態】
本発明の実施形態に係る配線管理システムについて、図面を参照して説明する。まず、本実施形態に係る配線管理システムの構成について説明する。図１は、本実施形態である配線管理システム１０の構成図である。
【００２９】
配線管理システム１０は、図１に示すように、管理室Ａに配設された管理用コンピュータシステム１２と、配線現場Ｂに配設された局内通信施設１４と、配線現場Ｂに持ち込んで使用する携帯端末１６とを備えている。
【００３０】
局内通信施設１４は、図２に示すように、伝送装置１８、中間装置２０、終端装置２２を備えて構成され、各装置は通信ケーブル２４を介して接続されている。ここで、通信ケーブル２４は、ケーブル本体２４ａと、ケーブル本体２４ａに内在するメタル線あるいは光ファイバ心線等の通信回線２４ｂ（配線）と、通信回線２４ｂの両方の端部に固定されたコネクタ２４ｃとを備えて構成される。各コネクタ２４ｃには、当該通信回線を識別するための識別コード（配線識別符号）２６がバーコードとして付されており、また、ケーブル本体２４ａの両端部には、通信ケーブル２４を識別するための識別コード２８が付されている。
【００３１】
通信ケーブル２４を用いて伝送装置１８と中間装置２０とを接続する場合は、各通信回線２４ｂの一方のコネクタ２４ｃを伝送装置１８を構成する各伝送モジュール３０に接続し、他方のコネクタ２４ｃを中間装置２０を構成する各中間モジュール３２に接続すればよい。同様に、中間装置２０と終端装置２２とを接続する場合は、各通信回線２４ｂの一方のコネクタ２４ｃを中間装置２０を構成する各中間モジュール３２に接続し、他方のコネクタ２４ｃを終端装置２２を構成する各終端モジュール３４に接続すればよい。
【００３２】
中間装置２０が設けられている架内には、伝送モジュール３０との接続に用いられる通信回線２４ｂのうち、未使用の通信回線の端部（以下、保留端子という）を収容する保留部３６（収容部）が設けられている。保留部３６は、保留端子を収容する収容箇所３８を複数有し、それぞれの収容箇所３８には識別コード４０（収容箇所識別符号）がバーコードとして付されている。より具体的には、各収容箇所３８は３次元状に配列されており、各識別コード４０は、各収容箇所の３次元座標を表すものとなっている。さらに、中間装置２０が設けられている架内には、終端モジュール３４との接続に用いられる通信回線２４ｂの保留端子を収容する保留部４２（第１の収容部）を有しており、保留部４２を構成するそれぞれの収容箇所３８にも識別コード４０が設けられている。
【００３３】
同様に、終端装置２２が設けられている架内には、中間モジュール３２との接続に用いられる通信回線２４ｂの保留端子を収容する保留部４４（第２の収容部）を有しており、保留部４４を構成するそれぞれの収容箇所３８にも識別コード４０がバーコードとして付されている。
【００３４】
携帯端末１６は、図１に示すように、上記通信回線２４ｂのコネクタ２４ｃに付された識別コード２６、及び、各収容部の収容箇所３８に付された識別コード４０を読み取るバーコードリーダ４５（読み取り手段）を備えている。ここで、携帯端末１６は、無線通信によって、管理用コンピュータシステム１２との間でデータ送受信を行うことが可能となっている。
【００３５】
管理用コンピュータシステム１２は、保留端子の収容状態に関するデータが格納された記憶装置４６（格納手段）と、データの読み出し、更新等を行う制御部４８と、管理者によって入力された作業指示等を受け付けるとともに必要情報の表示を行う作業端末５０と、携帯端末１６との通信を行う無線ルータ５２とを、ＬＡＮによって接続して構成される。
【００３６】
記憶装置４６には、通信回線２４ｂの識別コード２６と収容箇所３８の識別コード４０とを互いに関連づけて、保留端子の収容箇所に関するデータが格納されている。具体的には例えば、収容箇所３８に保留端子が存在する場合は、収容箇所３８の識別コード４０と通信回線の識別コード２６とが互いに結びつけられて格納されている。一方、収容箇所３８に保留端子が存在しない場合は、収容箇所３８の識別コード４０と、当該収容箇所３８に保留端子が存在しないことを示すＮＵＬＬ符号等が互いに結びつけられて格納される。また、例えば図２に示す、中間装置２０と終端装置２２とを結ぶ通信ケーブル２４の如く、通信回線２４ｂの両端が保留端子となる場合は、通信回線２４ｂの両端に付された識別コード２６と、通信回線２４ｂの一方の保留端子が収容される保留部４２内の収容箇所３８の識別コード４０と、通信回線２４ｂの他方の保留端子が収容される保留部４４内の収容箇所３８の識別コード４０とを関連づけて、保留端子の収容箇所に関するデータが記憶装置４６に格納されている。また、通信回線２４ｂの両端に設けられたコネクタ２４ｃの状態（「保留」状態にあるか「接続」状態にあるか）のデータも併せて格納されており、さらに、ケーブル本体２４ａの両端に付された識別コード２８も、必要に応じて格納される。
【００３７】
制御部４８は、読み出し部５４（読み出し手段）、配線設計部５６（選択手段）及びデータ更新部５８（更新手段）とを有している。読み出し部５４は、作業端末５０から入力された作業指示等により、記憶装置４６に格納されている保留端子の収容箇所に関するデータを、通信回線２４ｂの識別コード２６または収容箇所３８の識別コード４０に基づいて読み出す。すなわち、通信回線２４ｂの識別コード２６または収容箇所３８の識別コード４０の一方をキーとして他方を効率よく読み出すことができるようになっている。
【００３８】
配線設計部５６は、通信回線２４ｂの新規接続等が必要になった場合、読み出し部５４によって読み出された保留端子の収容状態に関するデータに基づいて、使用すべき通信回線２４ｂを選択する。具体的な選択方法としては、例えば、保留端子が収容されているの収容箇所３８のうち、最前列の収容箇所３８に収容されている保留端子（通信回線２４ｂ）を選択する。
【００３９】
データ更新部５８は、携帯端末１６が有するバーコードリーダ４５によって読み取られた通信回線２４ｂの識別コード２６あるいは収容箇所３８の識別コード４０に基づいて、記憶装置４６に格納されている保留端子の収容状態に関するデータを更新する。
【００４０】
作業端末５０は、ディスプレイ（表示手段）６０を備えており、当該ディスプレイ６０には、読み出し部５４によって読み出された保留端子の収容状態に関するデータが表示される。より具体的には、例えば、図３〜５に示すような各ウィンドウが１画面内に表示される。
【００４１】
図３に示すウィンドウ６２は、保留部３６の各収容箇所３８における保留端子の収容状態を表すウィンドウである。ウィンドウ６２は、保留部３６の各収容箇所３８における保留端子の収容状態をグラフィック表示で表した保留端子表示部６４を有している。保留端子表示部６４は、例えば上下３段、左右１６列、奥行１６列となるように配置された各収容箇所３８を升目状に表しており、保留端子が存在しない収容箇所３８は白色で、また、保留端子が存在する収容箇所３８は緑色（図３中のハッチング部分Ａ）で表示されるようになっている。
【００４２】
また、保留端子が存在する任意の収容箇所３８を表す升目をマウス等で選択すると、当該収容箇所３８を表す升目が灰色（図３中のドット部Ｂ）表示に変更され、選択された収容箇所３８の座標、当該収容箇所３８に存在する保留端子の識別コード、コネクタ２４ｃの種別等の情報が、コネクタ情報表示部６６に表示される。
【００４３】
さらに、上記保留端子に接続される通信回線２４ｂを含む通信ケーブル２４の識別コード２８、当該通信ケーブル２４の心線使用率等の情報が、ケーブル情報表示部６８に表示される。
【００４４】
図４に示すウィンドウ７０は、保留部４２及び４４の各収容箇所３８における保留端子の収容状態を表すウィンドウである。ウィンドウ７０は、保留部４２の各収容箇所３８における保留端子の収容状態をグラフィック表示で表した中間装置側保留端子表示部７２と保留部４４の各収容箇所３８における保留端子の収容状態をグラフィック表示で表した終端装置側保留端子表示部７４とを有している。  ここで、例えば中間装置側保留端子表示部７２において、保留端子が存在する任意の収容箇所３８を表す升目（図４中のハッチング部Ｃ）をマウス等で選択すると、当該収容箇所３８を表す升目が灰色（図４中のドット部Ｄ）表示に変更されるとともに、終端装置側保留端子表示部７４において、上記保留端子と接続されている保留端子を収容する収容箇所３８を表す升目が灰色（図４中のドット部Ｅ）表示に変更される。また、当該ウィンドウ７０にも、上記ウィンドウ６２と同様に、コネクタ情報表示部６６、ケーブル情報表示部６８が設けられている。
【００４５】
また、図５に示すウィンドウ７６は、伝送装置１８、中間装置２０及び終端装置２２間の通信回線２４ｂの接続状態を表すウィンドウである。
【００４６】
続いて、本実施形態に係る配線管理システムの作用について説明し、併せて本発明の実施形態に係る配線管理方法について説明する。本実施形態に係る配線管理システム１０を用いる場合は、まず初めに、各通信回線２４ｂのコネクタ２４に識別コード２６を付するとともに、各保留部３６、４２、４４の各収容箇所３８に識別コード４０を付しておく。また、通信回線２４ｂの識別コード２６と収容箇所３８の識別コード４０とを関連づけて、保留端子の収容箇所に関するデータを記憶装置４６に格納しておく。
【００４７】
新たな利用者の発生等に伴い、保留端子を用いて通信回線を確立する場合は、以下のように行われる。まず、作業端末５０に入力された作業管理者の指示により、記憶装置４６に格納されている保留端子の収容状態に関するデータが、読み出し部５４によって読み出される。読み出し部５４によって読み出された保留端子の収容状態に関するデータは、作業端末５０のディスプレイ６０にグラフィクス表示される。また、読み出し部５４によって読み出された保留端子の収容状態に関するデータに基づいて、配線設計部５６により、保留端子の中から使用すべき保留端子、すなわち通信回線２４ｂが選択される。
【００４８】
ここで、選択された保留端子は、作業端末５０のディスプレイ６０に表示されるが、作業管理者は作業端末５０を通じて、実際に使用する保留端子を任意に修正することができる。
【００４９】
使用すべき保留端子が選択されると、当該保留端子が他の作業によって使用されないように、当該保留端子は「使用予定」状態に遷移する。当該保留端子が「使用予定」状態に遷移すると、当該保留端子の収納箇所３８に関する情報が無線ルータ５２を介して配線現場Ｂに持ち込まれている携帯端末１６に通知される。
【００５０】
当該保留端子の収納箇所３８に関する情報が携帯端末１６に通知されると、当該情報は現場作業者により参照され、当該情報に基づいて回線の接続作業が行われる。ここで、現場作業者が指定された収容箇所３８から保留端子を取り出す際に、当該保留端子（コネクタ２４ｃ）に付された識別コード２６をバーコードリーダ４５で読み取ることで現物が照合されるとともに、当該コネクタ２４ｃは、「使用予定」状態から「接続」状態に遷移する。また、かかる状態の遷移は、無線ルータ５２、ＬＡＮを介してデータ更新部５８に通知され、データ更新部５８によって、記憶装置４６に格納された保留端子の収容状態に関するデータが更新される。現物の照合がされた後、現場作業者によって通信回線２４ｂの接続が行われ、一連の作業が完了する。ここで特に、現物の照合後に通信回線２４ｂの接続が行われることで、作業ミスが防止される。
【００５１】
一方、利用者の利用中止等に伴い、通信回線の接続を解除して、保留端子を保留部に収容する場合は、以下のように行われる。まず、作業端末５０に入力された作業管理者の指示により、接続を解除する回線が特定されると、当該通信回線２４ｂの一方あるいは双方のコネクタ２４ｃは、「解除予定」状態に遷移するとともに、解除すべき通信回線２４ｂに関する情報が無線ルータ５２を介して配線現場Ｂに持ち込まれている携帯端末１６に通知される。
【００５２】
当該情報が携帯端末１６に通知されると、当該情報は現場作業者により参照され、当該情報に基づいて回線の接続解除作業が行われる。ここで、現場作業者が通信回線２４ｂの接続を解除する際に、当該通信回線２４ｂの一方あるいは双方のコネクタ２４ｃに付された識別コード２６をバーコードリーダ４５で読み取ることで、現物が照合されるとともに、当該コネクタ２４ｃは、「解除予定」状態から「保留」状態に遷移する。現物の照合がなされた後、当該通信回線２４ｂは、現場作業者により接続を解除される。。ここで特に、現物の照合後に通信回線２４ｂの接続解除が行われることで、作業ミスが防止される。
【００５３】
その後、接続を解除された端子（保留端子）は、保留部内の任意の収容箇所３８に収容され、当該収容箇所３８に付されている識別コード４０がバーコードリーダ４５によって読み取られる。読み取られた識別コード４０は、無線ルータ５２、ＬＡＮを介してデータ更新部５８に通知される。その後、データ更新部５８によって、記憶装置４６に格納された保留端子の収容状態に関するデータが更新され、一連の解除作業が完了する。
【００５４】
続いて、本実施形態に係る配線管理システムの効果について説明する。本実施形態に係る配線管理システム１０は、通信回線２４ｂのコネクタ２４の識別コード２６と収容箇所３８の識別コードとを互いに関連づけて保留端子の収容状態に関するデータを格納することで、保留端子の収容状態を系統的に管理できる。また、通信回線２４ｂのコネクタ２４の識別コード２６または収容箇所３８の識別コードに基づいて当該データを読み出すことで、回線設計等に必要な情報を迅速に入手することができる。その結果、容易かつ迅速な回線設計及び現物照合が可能となる。
【００５５】
また、本実施形態に係る配線管理システム１０は、通信回線２４ｂの両端が保留端子となる場合であっても、通信回線２４ｂの両端に付された識別コード２６と、通信回線２４ｂの一方の保留端子が収容される保留部４２内の収容箇所３８の識別コード４０と、通信回線２４ｂの他方の保留端子が収容される保留部４４内の収容箇所３８の識別コード４０とを互いに関連づけて、保留端子の収容箇所に関するデータを記憶装置４６に格納することで、未使用の通信回線２４ｂの両端の保留端子の収容状態を関連づけて系統的に管理できる。また、通信回線２４ｂの両端に付された識別コード２６、保留部４２内の収容箇所３８の識別コード４０と、保留部４４内の収容箇所３８の識別コード４０のいずれかに基づいて当該情報を読み出すことで、通信回線２４ｂの両端の保留端子の収容状態に関する情報が回線設計等に必要な場合であっても、必要な情報を迅速に入手することができる。その結果、通信回線２４ｂの両端が保留端子となる場合であっても、容易かつ迅速な回線設計及び現物照合が可能となる。
【００５６】
また、本実施形態に係る配線管理システム１０は、読み出し部５４によって読み出された情報を作業端末５０に設けられたディスプレイ６０に表示することで、当該情報を容易に利用することができ、その結果、回線設計の誤り等が防止される。
【００５７】
また、本実施形態に係る配線管理システム１０は、読み出し部５４によって読み出された情報に基づいて、配線設計部５６によって使用すべき通信回線２４ｂを選択することで、使用すべき回線として適切な通信回線２４ｂを容易に選択することができる。
【００５８】
また、本実施形態に係る配線管理システム１０は、バーコードリーダ４５によって識別コードを読み取り、当該読み取られた識別コードに基づいて、記憶装置４６に格納されているデータを更新することで、識別コードを逐次読み取り、上記データを逐次更新することができる。
【００５９】
【発明の効果】
本発明に係る配線管理システム及び配線管理方法は、配線識別符号と収容箇所識別符号とを互いに関連づけて未使用配線の端部の収容状態に関する情報を格納することで、未使用配線の収容状態を系統的に管理できる。また、配線識別符号または収容箇所識別符号に基づいて当該情報を読み出すことで、回線設計等に必要な情報を迅速に入手することができる。その結果、容易かつ迅速な回線設計及び現物照合が可能となる。
【００６０】
また、本発明の配線管理システム及び配線管理方法は、第１、第２の配線識別符号、第１、第２の収容箇所識別符号とを互いに関連づけて、未使用配線の端部の収容箇所に関する情報を格納することで、配線の両端部が収容部に収容されるような場合であっても、未使用配線の両端部の収容状態を関連づけて系統的に管理できる。また、第１、第２の配線識別符号、第１、第２の収容箇所識別符号のいずれかに基づいて当該情報を読み出すことで、配線の両端部が収容部に収容されるような場合であっても、必要な情報を迅速に入手することができる。その結果、配線の両端部が収容部に収容されるような場合であっても、容易かつ迅速な回線設計及び現物照合が可能となる。
【００６１】
また、本発明の配線管理システム及び配線管理方法は、読み出し手段によって読み出された情報を表示手段に表示することで、当該情報を容易に利用することができ、その結果、回線設計の誤り等が防止される。
【００６２】
また、本発明の配線管理システム及び配線管理方法は、読み出し手段によって読み出された情報に基づいて、選択手段によって使用すべき配線を選択することで、使用すべき回線として適切な配線を容易に選択することができる。
【００６３】
また、本発明の配線管理システム及び配線管理方法は、読み取り手段によって識別符号を読み取り、当該読み取られた識別符号に基づいて、格納手段に格納されている情報を更新することで、識別符号を逐次読み取り、上記情報を逐次更新することができる。
【図面の簡単な説明】
【図１】配線管理システムの構成図である。
【図２】局内通信施設の構成図である。
【図３】ディスプレイの表示内容を示す説明図である。
【図４】ディスプレイの表示内容を示す説明図である。
【図５】ディスプレイの表示内容を示す説明図である。
【符号の説明】
１０…配線管理システム、１２…管理用コンピュータシステム、１４…局内通信施設、１６…携帯端末、１８…伝送装置、２０…中間装置、２２…終端装置、２４…通信ケーブル、２６、２８、４０…識別コード、３０…伝送モジュール、３２…中間モジュール、３４…終端モジュール、３６、４２、４４…保留部、３８…収容箇所、４５…バーコードリーダ、４６…記憶装置、４８…制御部、５０…作業端末、５２…無線ルータ、５４…読み出し部、５６…配線設計部、５８…データ更新部、６０…ディスプレイ
【図１】
0003851729.tif 000002
【図２】
0003851729.tif 000003
【図３】
0003851729.tif 000004
【図４】
0003851729.tif 000005
【図５】
0003851729.tif 000006